(57)【要約】【課題】常に携帯でき、かつレジ袋を持つ際に手が痛くなるのを防ぐ懐中電灯【解決手段】レジ袋の取手部分が入るような溝と防犯ブザーを設けた懐中電灯である。普段ハンドバッグ等に携帯しておき、買い物後の重いレジ袋を持つ際に手を傷めることを防ぐことができ、昼夜を問わず、また雨の日の買い物で傘をさしながらでも使うことができる。長手方向両端のレンズ付きLEDライトは前方を照射するだけでなく、前後LEDライトを点滅させることによって車など周囲から歩行者の存在を確認させることができる。また万が一のときには防犯ブザーを用いて周囲に知らせることができる。【選択図】図４
0003131544.tif 000002
【実用新案登録請求の範囲】
【請求項１】
湾曲した略円柱状本体を手で握持することができ、また橋状弧となって湾曲した略円柱状本体の上面の部分は長手方面に沿って略円柱状の中心部にレジ袋の取手が入るような溝を設け、レジ袋の取手として使えるような特徴を持つ懐中電灯。
【請求項２】
上記溝の内両面は、長手方向両端から溝の長さの３分の１の点の両側に半球状突起が各一対設けられることにより、取手本体を握持する力で溝の幅が狭められないよう保たれ、手を離すときもレジ袋が溝から簡単に取れてしまわないような請求項１に記載の懐中電灯。
【請求項３】
上記本体長手方向両端は縦方向視溝を中心として溝の左右両方に本体部分また本体長手方向両端ともにレンズ付LED発光部材を設け、さらに本体内部に防犯ブザー設け、それぞれ電源スイッチによりつけたり消したりできる請求項１および２に記載の懐中電灯。
【請求項４】
上記本体の溝を上面として本体長手方向横の外面の両側ともに、手で握持するとき親指に近い方にLEDライトのスイッチを設け、防犯ブザーのスイッチはLEDライトスイッチの本体反対側面に設けることにより、LEDライトスイッチも防犯ブザースイッチも本体の握持方向を気にすることなく使用できることを特徴とした請求項１、２および３に記載の懐中電灯。
【請求項５】
本体長手方向両端のLEDライトは、本体を握持した際の前方向灯のLEDライト照射方向を本体を長手方向に水平握持した状態で前方斜め下に向けるようにし、また前方向を点灯または前方向灯と後方向灯を同時に点滅させることができ、またLEDライトが点滅するときに前後方向だけでなく横方向にも識別できるような請求項１、２，３および４に記載の懐中電灯。
【請求項６】
電池ケースは上記レジ袋をかける溝と本体橋状弧の下面部との間に設け、また本体の橋状弧下面と長手方向横の側面部には滑り止め用部材を付けた請求項１、２、３、４および５に記載の懐中電灯。
【考案の詳細な説明】
【技術分野】
【０００１】
本考案は懐中電灯に関するものである。
【背景技術】
【０００２】
暗い道路を歩くとき、また暗いところで物を探すときに懐中電灯を使うことはとても便利で、最近では懐中電灯のケースの中にブザーを設け防犯兼用のものもあり、また傘の柄に懐中電灯を設けた先行技術もある。
【０００３】
しかしながら、現代の社会においては繁華街や主な道路はもちろんのこと、狭い小道にも街路灯が設置されているところが多く、懐中電灯の使いみちも縮小傾向にある。
【特許文献１】特開２００５−２４３５８９
【特許文献２】特開２００２−３５２６０１
【特許文献３】実登３１０７９１８
【考案の開示】
【考案が解決しようとする課題】
【０００４】
常に携帯することができ、かつレジ袋を持つ際に手が痛くなるのを防ぐ懐中電灯
【課題を解決するための手段】
【０００５】
レジ袋の取手部分が入るような溝を図のように設けることにより、重いレジ袋により手を痛めることを防ぎ、長手方向の両端にレンズ付のLED発光部材を設けることにより、どちらの方向を前にしても夜暗いところで使うことができ、また防犯ブザーを設けることにより万が一のときに周りに知らせることができる。
【考案の効果】
【０００６】
懐中電灯として使用するほかに、買い物後の重いレジ袋を持つ際、手に優しい取っ手として使える利便性と実用性を持つ。また常にハンドバックの中に置いておくことができるほどのサイズで、緊急時に荷物も持ったままでも防犯ブザーを押すことができる。さらに暗い道路を横断する際に前後LEDライトを点滅させることにより、車から歩行者の存在を容易に確認させることができる。
【考案を実施するための最良の形態】
【０００７】
図を参照しつつ説明する
図１は本体横方向正面図であり、湾曲した略円柱状本体の長手方向両側面にライトスイッチCを図のように本体の横側面の両側に設け、本体は取っ手の握持部として使用し、握持方向にかかわらず本体を出してすぐ使えるよう、本体横側面に設けたライトスイッチは本体横側面両方向ともに対称の形式であり、またスイッチに近い方のLEDライトを前方灯として設定するよう、例えば略円柱状本体を手で通常に握持するとき親指に近いライトスイッチC(図参照)を一回押すとスイッチCに近いLEDライトを点灯する。このように本体を長手方向に180度転回して握持すると上記と同じような効果となる。ライト点灯時にスイッチを再度押すと前記スイッチに近い前方灯と本体長手方向の他端のLEDライトを同時に点滅するようにする。
【０００８】
図１−２は縦方向LEDライトを示した図である。本体長手方向両端は縦方向視溝を中心として溝の左右両方に本体部分また本体長手方向両端ともにレンズ付LED発光部材を設け、点灯したLEDライトの光が本体の横方向と縦方向のどちらからでも見える位置に設ける。
【０００９】
図２は略円柱状本体、湾曲した橋状弧の上面視本体図と湾曲した橋状弧の下面視本体図である。本体上面視図は本体長手方向中間に設けたレジ袋の取っ手を入れることができる溝Bとレジ袋の取っ手をかける部分Jであり、上記溝内壁B-1は本体長手方向の長さの3分の1の部分に半球状突起Gを溝内壁B-1の両面に対面2箇所設ける(図２−１または図３−１参照)。半球状突起G間の間隔は約1mm離れさせ、レジ袋を入れやすくすると同時に、手を本体から離してもレジ袋と取っ手がすぐに溝Bから抜け落ちないようにさせる。また、重い荷物を持つ際に手の握る力が強くかかっても半球状突起部Gが接することにより溝Bの変形を防ぐこともできる。
【００１０】
本体長手方向両端は略半球状になっており、LED発光ライトは本体長手方向両端の丸くなった部分を設けることにより、略円柱状本体の長手方向両端のLEDライトが点滅し本体長手方向だけではなく横方向にも識別することができ(図１−２参照)、例えば道路を横断するとき本体を手で持って点灯させることにより車からも歩行者の存在を確認することができ、歩行者の安全性を高めることができる。
【００１１】
図３−１は本体長手方向断面図であり、レジ袋かける部Jと略円筒状本体下端外壁との間に発光LEDライトとブザーの電源供給用電池の電池ケースを設け、電池ケースのフタFは略円筒状本体下部の外壁の一部として設ける。
【００１２】
電池ケースの外面を含めた略円筒状本体下部外面は、ゴムまたは合成ゴム等の滑り止め部材を用いることにより滑り止めの効果を得られる(図３−１または図２−２斜線部参照)。
【００１３】
図３−２は本体縦方向断面図であり、図４は本体使用時のイメージ図である。本体長手方向両端部を下方向に湾曲させることにより本体使用時に本体が前後方向にずれることを防ぎ安定性を向上させる効果を持つ。
【図面の簡単な説明】
【００１４】
【図１】本体横方向と縦方向正視図
【図２】本体上方向と下方向正視図
【図３】本体横方向と縦方向断面図
【図４】本体使用時レジ袋をかけた図
【符号の説明】
【００１５】
A：本体
B：溝
B-1：溝壁面
C：ライトスイッチ
D：ブザースイッチ
E：LED発光体
F：電池フタ
G：半球状突起
H：電池ケース
J：レジ袋掛け部
K：滑り止め用部材
【図１】
0003131544.tif 000003
【図２】
0003131544.tif 000004
【図３】
0003131544.tif 000005
【図４】
0003131544.tif 000006
【手続補正書】
【提出日】平成19年3月5日(2007.3.5)
【手続補正１】
【補正対象書類名】実用新案登録請求の範囲
【補正対象項目名】請求項３
【補正方法】変更
【補正の内容】
【請求項３】
上記本体長手方向両端は縦方向視溝を中心として溝の左右両方に本体部分また本体長手方向両端ともにレンズ付LED発光部材を設け、さらに本体内部に防犯ブザー設け、それぞれ電源スイッチによりつけたり消したりできる請求項１または２に記載の懐中電灯。
【手続補正２】
【補正対象書類名】実用新案登録請求の範囲
【補正対象項目名】請求項４
【補正方法】変更
【補正の内容】
【請求項４】
上記本体の溝を上面として本体長手方向横の外面の両側ともに、手で握持するとき親指に近い方にLEDライトのスイッチを設け、防犯ブザーのスイッチはLEDライトスイッチの本体反対側面に設けることにより、LEDライトスイッチも防犯ブザースイッチも本体の握持方向を気にすることなく使用できることを特徴とした請求項１〜３のいずれか１項に記載の懐中電灯。
【手続補正３】
【補正対象書類名】実用新案登録請求の範囲
【補正対象項目名】請求項５
【補正方法】変更
【補正の内容】
【請求項５】
本体長手方向両端のLEDライトは、本体を握持した際の前方向灯のLEDライト照射方向を本体を長手方向に水平握持した状態で前方斜め下に向けるようにし、また前方向を点灯または前方向灯と後方向灯を同時に点滅させることができ、またLEDライトが点滅するときに前後方向だけでなく横方向にも識別できるような請求項１〜４のいずれか１項に記載の懐中電灯。
【手続補正４】
【補正対象書類名】実用新案登録請求の範囲
【補正対象項目名】請求項６
【補正方法】変更
【補正の内容】
【請求項６】
電池ケースは上記レジ袋をかける溝と本体橋状弧の下面部との間に設け、また本体の橋状弧下面と長手方向横の側面部には滑り止め用部材を付けた請求項１〜５のいずれか１項に記載の懐中電灯。